(57)【要約】      （修正有）【課題】室内空間全体の明るさを向上させるとともに均一にすることができる建造物、採光部材の選択方法を提供する。【解決手段】建造物１は、室内における開口部３から壁２ａまでをＬとし、床２ｂから天井２ｃまでをＸとし、開口部３の上端縁から天井２ｃまでをＡとし、開口部３の上端縁より出射する光の天井２ｃの入射目標位置ｐから、天井２ｃの開口部側端部までをＣ（０．１ｍ≦Ｃ≦３ｍ）とし、採光部材２０の高さをＢとし、入射角度が３０度、４０度、５０度、６０度の各光を採光部材２０から出射させた場合の光の強度の総和の出射角度の分布図において、鉛直方向に最も近い角度で出射する光の角度をφとし、水平方向に最も近い角度で出射する光の角度をθとしたときに、角度φ、角度θは、ｔａｎ−１（Ａ／Ｌ）≦φ≦ｔａｎ−１（Ａ／Ｃ）、ｔａｎ−１（（Ａ＋Ｂ−Ｘ／２）／Ｌ）≦θ≦ｔａｎ−１（（Ａ＋Ｂ）／Ｌ）を満たす。【選択図】図２
2016205040.tif 000002
【特許請求の範囲】
【請求項１】
室内に光を採り入れる採光部材が開口部に配置された建造物であって、
前記室内において、
前記開口部から前記開口部に対向する壁までの奥行き寸法をＬとし、
前記室内の床から天井までの高さ寸法をＸとし、
前記開口部の上端縁から前記天井までの寸法をＡとし、
前記開口部の上端縁より出射する光の前記天井における入射目標位置から、前記天井の前記開口部側の端部までの距離をＣとし、その距離Ｃが０．１ｍ≦Ｃ≦３ｍであり、
前記採光部材の下端縁から上端縁までの部材高さ寸法をＢとし、
入射角度が３０度、４０度、５０度、６０度の各光を前記採光部材から出射させた場合における光の強度の総和の出射角度に係る分布図において、鉛直方向に最も近い角度で出射する光のピークの角度をφとし、水平方向に最も近い角度で出射する光のピークの角度をθとしたときに、
角度φ及び角度θは、
ｔａｎ−１（Ａ／Ｌ）≦φ≦ｔａｎ−１（Ａ／Ｃ）と、
ｔａｎ−１（（Ａ＋Ｂ−Ｘ／２）／Ｌ）≦θ≦ｔａｎ−１（（Ａ＋Ｂ）／Ｌ）とを満たすこと、
を特徴とする建造物。
【請求項２】
請求項１に記載の建造物において、
Ｘ−（Ａ＋Ｂ）＞１．５ｍを満たすこと、
を特徴とする建造物。
【請求項３】
出射特性が相違する複数の採光部材の中から、建造物の開口部に配置され、室内に適した出射特性を有する採光部材を選択する採光部材の選択方法であって、
前記建造物の前記室内において、
前記開口部から前記開口部に対向する壁までの奥行き寸法をＬとし、
前記室内の床から天井までの高さ寸法をＸとし、
前記開口部の上端縁から前記天井までの寸法をＡとし、
前記開口部の上端縁より出射する光の前記天井における入射目標位置から、前記天井の前記開口部側の端部までの距離をＣとし、その距離Ｃが０．１ｍ≦Ｃ≦３ｍであり、
前記採光部材の下端縁から上端縁までの部材高さ寸法をＢとし、
入射角度が３０度、４０度、５０度、６０度の各光を前記採光部材から出射させた場合における光の強度の総和の出射角度に係る分布図において、鉛直方向に最も近い角度で出射する光のピークの角度をφとし、水平方向に最も近い角度で出射する光のピークの角度をθとしたときに、
角度φ及び角度θが、
ｔａｎ−１（Ａ／Ｌ）≦φ≦ｔａｎ−１（Ａ／Ｃ）と、
ｔａｎ−１（（Ａ＋Ｂ−Ｘ／２）／Ｌ）≦θ≦ｔａｎ−１（（Ａ＋Ｂ）／Ｌ）とを満たす前記採光部材を選択すること、
を特徴とする採光部材の選択方法。
【発明の詳細な説明】
【技術分野】
【０００１】
本発明は、室内に太陽光等の光を採り入れる採光部材を有した建造物、及び、採光部材の選択方法に関するものである。
【背景技術】
【０００２】
従来、建造物の開口部を通して入射する太陽光等の光を所望の方向に出射させるようにして建造物の内部に光を採光する技術が知られている（例えば、特許文献１）。
特許文献１の採光部材（採光面材）は、透光板と、拡散板と、透光板及び拡散板間に配置される偏光フィルムとを備えており、太陽光等の斜め上方から入射する光を偏向して建造物の室内の天井側へ出射している。そのため、照明装置等を使わずに自然光を利用して室内を明るくすることができ、省エネルギー効果（照明費用削減）や、快適な室内空間の形成を可能にしている。
【先行技術文献】
【特許文献】
【０００３】
【特許文献１】特開２０１４−４４３０５号公報
【発明の概要】
【発明が解決しようとする課題】
【０００４】
このような採光部材は、採り入れた光を、開口部から離れた室内奥側の天井面や、壁面の上部に出射することによって、室内空間全体の明るさを向上させることができる。
ここで、採光部材が配置される建造物の部屋には、様々な大きさがあり、また、その部屋に対して開口部が様々な位置に設けられ、更に、開口部に配置される採光部材も様々な大きさがある。そのため、建造物には、室内空間全体の明るさを向上させる観点から、配置される室内の大きさや、開口部の配置位置、開口部に配置可能な採光部材の大きさに応じて最適な出射特性を有した採光部材が配置されるのが望まれる。
【０００５】
例えば、太陽光等の光を開口部近傍の天井に採り入れる出射特性を有した採光部材を、奥行きの深い部屋の開口部に配置した場合、採光部材によって採光された光は、主に開口部近傍の天井に届くが、開口部から離れた奥側には届き難くなり、また、室内奥側の壁面にもほとんど届かなくなる。そのため、開口部から離れた奥側の室内空間を明るくすることができなくなる。また、開口部側が奥側に比して明るくなってしまい、室内空間に明暗のコントラストが着いてしまうことにより、室内奥側の暗さが特に目立ってしまったり、室内に居る人間の眼に疲労感を与えてしまったりする場合が生じてしまう。
【０００６】
本発明の課題は、室内空間全体の明るさを向上させるとともに均一にすることができる建造物、及び、採光部材の選択方法を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、室内に光を採り入れる採光部材（２０）が開口部（３）に配置された建造物（１）であって、前記室内において、前記開口部から前記開口部に対向する壁（２ａ）までの奥行き寸法をＬとし、前記室内の床（２ｂ）から天井（２ｃ）までの高さ寸法をＸとし、前記開口部の上端縁から前記天井までの寸法をＡとし、前記開口部の上端縁より出射する光の前記天井における入射目標位置（ｐ）から、前記天井の前記開口部側の端部までの距離をＣとし、その距離Ｃが０．１ｍ≦Ｃ≦３ｍであり、前記採光部材の下端縁から上端縁までの部材高さ寸法をＢとし、入射角度が３０度、４０度、５０度、６０度の各光を前記採光部材から出射させた場合における光の強度の総和の出射角度に係る分布図において、鉛直方向に最も近い角度で出射する光のピーク（Ｐ１）の角度をφとし、水平方向に最も近い角度で出射する光のピーク（Ｐ２）の角度をθとしたときに、角度φ及び角度θは、ｔａｎ−１（Ａ／Ｌ）≦φ≦ｔａｎ−１（Ａ／Ｃ）と、ｔａｎ−１（（Ａ＋Ｂ−Ｘ／２）／Ｌ）≦θ≦ｔａｎ−１（（Ａ＋Ｂ）／Ｌ）とを満たすこと、を特徴とする建造物である。
第２の発明は、第１の発明の建造物（１）において、Ｘ−（Ａ＋Ｂ）＞１．５ｍを満たすこと、を特徴とする建造物である。
第３の発明は、出射特性が相違する複数の採光部材の中から、建造物（１）の開口部（３）に配置され、室内に適した出射特性を有する採光部材（２０）を選択する採光部材の選択方法であって、前記建造物の前記室内において、前記開口部から前記開口部に対向する壁（２ａ）までの奥行き寸法をＬとし、前記室内の床（２ｂ）から天井（２ｃ）までの高さ寸法をＸとし、前記開口部の上端縁から前記天井までの寸法をＡとし、前記開口部の上端縁より出射する光の前記天井における入射目標位置（ｐ）から、前記天井の前記開口部側の端部までの距離をＣとし、その距離Ｃが０．１ｍ≦Ｃ≦３ｍであり、前記採光部材の下端縁から上端縁までの部材高さ寸法をＢとし、入射角度が３０度、４０度、５０度、６０度の各光を前記採光部材から出射させた場合における光の強度の総和の出射角度に係る分布図において、鉛直方向に最も近い角度で出射する光のピーク（Ｐ１）の角度をφとし、水平方向に最も近い角度で出射する光のピーク（Ｐ２）の角度をθとしたときに、角度φ及び角度θが、ｔａｎ−１（Ａ／Ｌ）≦φ≦ｔａｎ−１（Ａ／Ｃ）と、ｔａｎ−１（（Ａ＋Ｂ−Ｘ／２）／Ｌ）≦θ≦ｔａｎ−１（（Ａ＋Ｂ）／Ｌ）とを満たす前記採光部材を選択すること、を特徴とする採光部材の選択方法である。
【発明の効果】
【０００８】
本発明によれば、室内空間全体の明るさを向上させるとともに均一にすることができる。
【図面の簡単な説明】
【０００９】
【図１】実施形態の建造物を説明する図である。
【図２】実施形態の建造物の部屋の内側を説明する図である。
【図３】実施形態の採光部材の詳細を説明する図である。
【図４】光偏向層の他の形態を示す図である。
【図５】入射角度が３０度、４０度、５０度、６０度の各入射光を採光部材から出射させた場合における光の強度の総和の出射角度に係る分布図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１１】
（実施形態）
図１は、本実施形態の建造物を説明する図である。図１（ａ）は、採光部材を開口部に設置した建造物を示す図である。図１（ｂ）は、採光部材の厚み方向から見た正面図である。
図２は、本実施形態の建造物の部屋の内部を説明する図である。
図３は、本実施形態の採光部材の詳細を説明する図である。図３は、図１（ｂ）の採光部材のａ部断面を示す図である。
なお、図１〜３を含め以下に示す図中及び以下の説明において、理解を容易にするために、建造物の開口部に配置された採光部材の鉛直方向をＺ方向とし、水平方向のうち採光部材の厚み方向をＹ方向とし、その厚み方向に直交する左右方向をＸ方向とする。この厚み方向（Ｙ方向）のうち、−Ｙ側を建造物の外側（太陽光等の光が入射する側）とし、＋Ｙ側を建造物の内側（室内側、太陽光等の光が出射する側）とする。
【００１２】
建造物１は、住居やオフィス等として使用される建物であり、本実施形態では、図１（ａ）に示すように、４階建ての建物である。建造物１には、その内部に複数の部屋２が設けられており、その各部屋２には開口部３が設けられている。
部屋２は、図２に示すように、建造物の外側と室内側とを遮る壁２ｄに開口部３が設けられている。部屋２には、開口部３から離れた奥側（＋Ｙ側）に開口部３と対向する壁２ａが設けられている。また、部屋２には、壁２ａ及び壁２ｄの下側（−Ｚ側）の端縁間に床２ｂが、壁２ａ及び壁２ｄの上側（＋Ｚ側）の端縁間に天井２ｃが設けられている。
本実施形態では、この壁２ａ、壁２ｄ及び開口部３は、鉛直方向（Ｚ方向）に平行であって左右方向（Ｘ方向）に平行に配置されており、また、床２ｂ及び天井２ｃは、水平方向（Ｘ方向、Ｙ方向）に平行に配置されている。
【００１３】
開口部３は、建造物１の外側から太陽光等の光を室内に採り入れるために壁２ｄに設けられた矩形状の孔である。開口部３には、図１（ｂ）に示すように、窓枠３ａを介して窓３ｂが配置されている。また、その窓３ｂの室内側（＋Ｙ側）の面であって、その上端側（＋Ｚ側）には、図３に示すように、接合層５を介して採光部材２０が貼付されている。
接合層５は、光透過性を有し、十分な接合強度が得られるものであれば、特に限定されるものでなく、粘着剤を用いた粘着層や、接着剤を用いた接着層を接合層とすることができる。
【００１４】
採光部材２０は、太陽光等の光を建造物の内側（室内側）に採り入れるシート状の部材であり、図３に示すように、開口部３に設けられた窓３ｂの室内側（＋Ｙ側）の上端側（＋Ｚ側）に貼付されている。採光部材２０は、建造物の外側（−Ｙ側）から順に、光偏向層３０、基材２１が積層された構成を有している。
この採光部材２０は、その厚み方向（Ｙ方向）において建造物の外側（−Ｙ側）に位置し、太陽光等の光が入射する入射面２０ａと、この入射面２０ａに対向し、建造物の内側（＋Ｙ側）に位置して、光が出射する出射面２０ｂとから構成されている。
基材２１は、光偏向層３０の＋Ｙ側（建造物の内側）の面に設けられた光透過性を有するシート状の部材であり、光偏向層３０を支持する支持体である。基材２１は、例えば、ガラス製の基板や、樹脂製（例えば、ポリエチレンテレフタレート（ＰＥＴ）や、ポリカーボネート（ＰＣ）等）の基板等が用いられている。
基材２１は、光偏向層３０に対して透明な接着層（不図示）により接着されている。この接着層は、例えば、光透過性を有する熱可塑性樹脂等を使用することができる。
なお、採光部材２０の基材２１は、省略することも可能である。この場合、光偏向層３０の＋Ｙ側の面が、採光部材２０の出射面２０ｂとなる。
【００１５】
光偏向層３０は、その厚み方向（Ｙ方向）において互いに対向する入射面３０ａ及び出射面３０ｂとを有するシート状の層である。ここで、入射面３０ａは、光偏向層３０の−Ｙ側（建造物の外側）の面であり、建造物の外側から光が入射する面である。また、出射面３０ｂは、光偏向層３０の＋Ｙ側（建造物の内側）の面であり、光偏向層３０を透過した光が室内側に出射する面である。なお、光偏向層３０の法線方向は、厚み方向に平行であり、採光部材２０の法線方向と一致している。また、本実施形態の光偏向層３０の入射面３０ａは、採光部材２０の入射面２０ａと一致している。
【００１６】
光偏向層３０は、この入射面３０ａから入射した太陽光等の光を偏向して出射面３０ｂから出射させる部材である。光偏向層３０は、出射面３０ｂが基材２１に沿うようにして配置されている。
光偏向層３０は、図３に示すように、複数の溝３１ａを有するベース部３１と、その溝３１ａ内に形成されるルーバ部３２とから構成されており、鉛直上方側（＋Ｚ側）から主に入射する太陽光等の光Ｓを、ベース部３１とルーバ部３２との界面によって所定の方向に偏向させて、建造物の内側へ向けて出射させる。
【００１７】
ベース部３１は、光透過性を有する透明な材料により形成された光偏向層３０の基礎となる部材である。このベース部３１には、左右方向（Ｘ方向）に延在し、光偏向層３０の入射面３０ａに沿って鉛直方向（Ｚ方向）に溝３１ａが複数配列されている。
ルーバ部３２は、ベース部３１に設けられた溝３１ａ内に、光透過性を有する材料により形成されている。このルーバ部３２は、左右方向（Ｘ方向）に延在し、光偏向層３０の入射面３０ａに沿って鉛直方向（Ｚ方向）に複数配列される形態となる。
【００１８】
また、ルーバ部３２は、その配列方向（鉛直方向（Ｚ方向））に平行であって光偏向層３０の厚み方向（Ｙ方向）に平行な断面（ＹＺ断面）における断面形状が楔形形状に形成されている。ここで、楔形形状とは、一方の端部の幅が広く、他方に向けて次第に幅が狭くなる形状をいい、三角形形状や台形形状等を含むものをいう。ルーバ部３２は、入射面３０ａ側の幅が広く、出射面３０ｂ側に向けて次第に幅が狭くなるように形成されている。本実施形態のルーバ部３２は、その断面形状が、入射面３０ａ側を底辺とする略三角形形状に形成されている。
【００１９】
このようにルーバ部３２を形成することによって、鉛直上方側（＋Ｚ側）から採光部材２０に入射した太陽光等の光Ｓは、図３に示すように、主にルーバ部３２の鉛直上方側（＋Ｚ側）の斜面に入射して、ベース部３１及びルーバ部３２の界面において反射して、偏向された上で出射面３０ｂから出射することとなる。
ルーバ部３２の屈折率は、ベース部３１及びルーバ部３２の界面において太陽光等の光を効率よく反射させる観点から、ベース部３１の屈折率よりも小さくなるように形成されることが望ましい。そのため、ルーバ部３２は、ベース部３１よりも屈折率の低い材料により形成されていることが望ましい。また、ルーバ部３２は、空気層、すなわち溝３１ａ内を空にしてもよい。
【００２０】
また、ルーバ部３２及びベース部３１の界面には、反射率を向上させるために、例えばアルミニウムやアルミニウム酸化物等の金属含有化合物などの反射率が高い材料により反射面が形成されていてもよい。さらに、反射面が形成されている場合は、ルーバ部３２の材料とベース部３１の材料との材料は同じものを使用してもよい。それによって、ルーバ部３２の屈折率とベース部３１の屈折率をほぼ同じにして、ルーバ部３２及びベース部３１の界面での屈折を抑制できるので、採光部材を通した視認性を良好にすることができる。
【００２１】
図４は、光偏向層の別な形態を示す図であり、光偏向層のＹＺ断面における断面形状である。
光偏向層３０は、ベース部３１及びルーバ部３２を備える例で説明したが、これに限定されるものでなく、異なる構成によって入射した光を偏向するようにしてもよい。
例えば、光偏向層３０は、図４（ａ）に示すように、上述のベース部及びルーバ部が同一の材料で形成され、反射層３４を挟み込んで結合した形態、すなわち、ベースとなる部材３３中に左右方向（Ｘ方向）に延在し、光偏向層３０の入射面３０ａに沿って、入射面３０ａの法線方向に対して所定の角度に傾斜した平板状の反射層３４が、鉛直方向（Ｚ方向）に複数配列される形態としてもよい。この場合、反射層３４は、アルミニウムやアルミニウム酸化物等の金属含有化合物などの反射率が高い材料により形成される。
また、光偏向層３０は、図４（ｂ）に示すように、入射面３０ａに沿ってプリズム体３０ｃが鉛直方向（Ｚ方向）に複数配列された形態としてもよい。また、プリズム体を形成する代わりに、フレネルレンズ形状を形成する形態としてもよい。
【００２２】
次に、採光部材２０が配置される部屋２等の条件と、採光部材２０の出射特性との関係について説明する。
図５は、入射角度が３０度、４０度、５０度、６０度の各入射光を採光部材から出射させた場合における光の強度の総和の出射角度に係る分布図である。図５は、横軸を水平方向、縦軸を鉛直方向とし、採光部材から出射した光の強度を、横軸及び縦軸の交点を中心として同心円状に示している。また、縦軸上に採光部材が配置されているものとし、その縦軸を境に、左側を建造物の外側とし、右側を建造物の内側（室内側）としている。
【００２３】
なお、図５に示す光の強度の測定には、３次元変角分光測色システム（村上色彩技術研究所製、ＧＣＭＳ１１）を使用した。また、入射角度が０度以上、３０度未満の入射光は、実際の建造物１の周囲には他の建造物や、樹木等が存在しており、実質的に開口部３から入射し難いため、上記図５の分布図の入射光から除外されている。また、入射角度が６０度よりも大きい光も、窓３ｂや採光部材２０の−Ｙ側（建造物の外側）の面における界面反射の割合が大きく、実質的に開口部３から入射し難いため、上記図５の分布図の入射光から除外されている。
【００２４】
室内空間全体の明るさを効率よく向上させるとともに均一にするには、採光部材２０によって採り入れられた光を、開口部３から離れた室内奥側（＋Ｙ側）の天井２ｃや、壁２ａの上部（壁２ａの床２ｂからＸ／２以上の領域）に出射させる必要がある。
ここで、採光部材２０が配置される建造物１の部屋２は様々な大きさに形成されたものがあり、また、開口部３も様々な位置に設けられており、更に、開口部３に配置される採光部材２０にも様々な大きさのものが存在している。
【００２５】
そこで、本実施形態の建造物１は、室内空間全体の明るさを向上させるとともに均一にする観点から、部屋２の大きさや、開口部３の配置位置、採光部材２０の大きさに応じて、適切な出射特性を有する採光部材２０を開口部３に配置している。
具体的には、以下の式（１）、式（２）を満たす出射特性（角度φ、角度θ）を有する採光部材２０を開口部３に配置している。
【００２６】
式（１）  ｔａｎ−１（Ａ／Ｌ）≦φ≦ｔａｎ−１（Ａ／Ｃ）
式（２）  ｔａｎ−１（（Ａ＋Ｂ−Ｘ／２）／Ｌ）≦θ≦ｔａｎ−１（（Ａ＋Ｂ）／Ｌ）
【００２７】
ここで、上述の式（１）の角度φは、図５に示すように、入射角度が３０度、４０度、５０度、６０度の各入射光を採光部材２０から出射させた場合における光の強度の総和の出射角度に係る分布図において、鉛直方向（Ｚ方向）に最も近い角度で出射する光のピークＰ１の出射角度である。また、上述の式（２）の角度θは、図５に示す分布図において、水平方向（Ｙ方向）に最も近い角度で出射する光のピークＰ２の出射角度である。
また、Ｌは、図２に示すように、部屋２の開口部３（壁２ｄ）から、この開口部３に対向する壁２ａまでの奥行き寸法であり、Ｘは、部屋２の床２ｂから天井２ｃまでの高さ寸法である。更に、Ａは、開口部３の上端縁から天井２ｃまでの寸法であり、Ｂは、採光部材２０の下端縁から上端縁までの部材高さ寸法である。
なお、開口部３の下端縁から上端縁までの寸法は、上記寸法Ｂと同等以上である。また、採光部材２０は、開口部３の上端側に配置、すなわち、採光部材２０の上端縁と開口部３の上端縁とが一致するようにして配置される。
【００２８】
Ｃは、開口部３の上端縁より出射する光の天井２ｃにおける入射目標位置ｐから、天井２ｃの開口部側の端部までの距離である。ここで、距離Ｃの領域は、窓際（開口部）近傍の領域、いわゆるペリメータゾーンの幅を示しており、採光部材２０により採光しなくても十分に明るい領域であり、本実施形態では、０．１ｍ≦Ｃ≦３ｍの範囲に設定される。この距離Ｃ（入射目標位置ｐ）は、建造物１の開口部３の形状や構造等に応じて適宜決定される値であり、例えば、開口部３の上端縁であって建造物の外側（−Ｙ側）にひさしが設けられている場合、開口部近傍の室内側の明るさが、ひさしが設けられていない場合に比して暗くなりやすいので、上記範囲の下限値近傍の値が適用される。ここで、ＣとＬとの関係は、Ｃ＜Ｌである。
【００２９】
なお、図２中のφ１は、採光部材２０の上端縁から入射目標位置ｐへ出射する光Ｓ１の出射角度を示しており、これが式（１）中のφの上限値ｔａｎ−１（Ａ／Ｃ）となる。また、図２中のφ２は、採光部材２０の上端縁から天井２ｃの奥側（＋Ｙ側）の端縁へ出射する光Ｓ２の出射角度を示しており、これが式（１）中のφの下限値ｔａｎ−１（Ａ／Ｌ）となる。
また、図２中のθ３は、採光部材２０の下端縁から壁２ａの上端縁へ出射する光Ｓ３の出射角度を示しており、これが式（２）中のθの上限値ｔａｎ−１（（Ａ＋Ｂ）／Ｌ）となる。また、図２中のθ４は、採光部材２０の下端縁から壁２ａの床からＸ／２の高さへ出射する光Ｓ４の出射角度を示しており、これが式（２）中のθの下限値ｔａｎ−１（（Ａ＋Ｂ−Ｘ／２）／Ｌ）となる。
【００３０】
上述の式（１）を満たすことによって、採光部材２０の上端縁から出射する光のほとんどを、天井２ｃの入射目標位置ｐよりも奥側（＋Ｙ側）の領域に入射させることができる。また、上述の式（２）を満たすことによって、採光部材２０の下端縁から出射する光のほとんどを、壁２ａの床２ｂよりＸ／２離れた高さから天井２ｃまでの領域に入射させることができる。
これにより、開口部３に配置された採光部材２０は、太陽光等の光を、天井２ｃの入射目標位置ｐ（距離Ｃの領域）よりも奥側（＋Ｙ側）の領域に入射させるとともに、壁２ａの床２ｂからＸ／２以上離れた領域に入射させることができ、室内空間全体の明るさを効率よく向上させるとともに均一にすることができる。
【００３１】
仮に、上記式（１）のφが、ｔａｎ−１（Ａ／Ｌ）未満である場合、採光部材２０から出射する光が、天井２ｃに入射し難くなってしまい、室内空間を十分に明るくするとともに均一にすることができなくなるので望ましくない。また、上記式（１）のφが、ｔａｎ−１（Ａ／Ｃ）よりも大きい場合、採光部材２０から出射する光が、開口部近傍（窓際）に入射してしまうため、室内の開口部近傍が奥側（＋Ｙ側）に比して極端に明るくなるといった明暗のコントラストが着いてしまい、室内奥側の暗さが特に目立ってしまったり、室内に居る人間の眼に疲労感を与えてしまったりするので望ましくない。
【００３２】
また、仮に、上記式（２）のθが、ｔａｎ−１（（Ａ＋Ｂ−Ｘ／２）／Ｌ）未満である場合、採光部材２０から出射する光が、壁２ａの床２ｂからＸ／２未満の領域に入射してしまい、採り入れた光の利用効率が低下してしまうので望ましくない。また、上記式（２）のθが、ｔａｎ−１（（Ａ＋Ｂ）／Ｌ）よりも大きい場合、採光部材２０から出射する光が、壁２ａに入射し難くなってしまい、室内空間を十分に明るくするとともに均一にすることができなくなるので望ましくない。
【００３３】
また、室内空間全体の明るさを向上させるとともに、採光による室内に居る人間の眩しさを抑制する観点から、Ｘ、Ａ、Ｂの関係は、以下の式（３）を満たすことが望ましい。
【００３４】
式（３）  Ｘ−Ａ−Ｂ＞１．５ｍ
【００３５】
仮に、Ｘ−Ａ−Ｂが１．５ｍ以下である場合、採光部材２０の下端縁が、一般的な大人の目線の高さ（１．５ｍ）よりも低くなり、採光部材により採り入れた光が室内に居る人間の眼に直接入射し、眩しくなってしまう可能性があるため望ましくない。
【００３６】
次に、大きさ等の条件が相違する複数の実施例の建造物の部屋に対して、出射特性の相違する複数の採光部材から適切な採光部材をそれぞれ選択する方法について説明する。
実施例１の建造物は、住宅用の建造物であり、６畳部屋の開口部の上端側に採光部材を配置する。
実施例２の建造物は、実施例１と同様に住宅用の建造物であり、６畳部屋の開口部の全面に採光部材を配置する。
実施例３の建造物は、商業ビルであり、事務室として使用される部屋の開口部の上端側に採光部材を配置する。
各実施例の建造物の部屋、開口部、採光部材の各寸法等を以下の表１にまとめる。
【００３７】
【表１】
2016205040.tif 000003
【００３８】
上述の各実施例の建造物の開口部に配置する採光部材には、採光部材Ａ〜Ｉまでの９種類が準備されており、それぞれの出射特性（角度φ、角度θ）を以下の表２にまとめる。なお、各採光部材の出射特性の角度φ、角度θは、それぞれ、入射角度が３０度、４０度、５０度、６０度の各入射光を採光部材から出射させた場合における光の強度の総和の出射角度に係る分布図（図５参照）に基づいて、鉛直方向（Ｚ方向）に最も近い角度で出射する光のピークＰ１の出射角度と、水平方向（Ｙ方向）に最も近い角度で出射する光のピークＰ２の出射角度である。
【００３９】
【表２】
2016205040.tif 000004
【００４０】
ここで、各実施例の建造物の部屋に適した採光部材に必要な出射特性（角度φ、角度θ）の範囲は、上述の式（１）及び式（２）と、表１に示す部屋や開口部等の寸法情報に基づいて、下記表３に示すように演算される。
【００４１】
【表３】
2016205040.tif 000005
【００４２】
表２に示す各採光部材の出射特性（角度φ、角度θ）と、表３に示す出射特性（角度φ、角度θ）の範囲に基づいて、各採光部材が、各実施例の建造物に配置した場合に室内空間全体の明るさを向上させるとともに均一にすることができるか否かを判定し、その判定結果を表４にまとめる。
ここで、表４において、角度φ及び角度θが共に表３に示す角度範囲を満たしている場合、太陽光等の光を部屋の奥側の天井及び壁面に採り入れることができるため、室内空間全体の明るさを向上するとともに均一にすることができるものと判定し、判定結果を「○」としている。また、角度φ及び角度θのうち少なくとも一方が表３に示す角度範囲を満たしていない場合、部屋の奥側の天井又は壁に光を適切に入射させることができないため、室内空間全体の明るさを向上させるとともに均一にすることができないものと判定し、判定結果を「×」としている。
【００４３】
【表４】
2016205040.tif 000006
【００４４】
表４に示すように、実施例１の建造物の部屋に対しては、採光部材Ｂ、採光部材Ｆ、採光部材Ｈの３種類の採光部材の角度φ及び角度θが、それぞれ表３に示す７．１度≦φ≦６８．２度、−２．１度≦θ≦１５．４度を満たしているので、この３種類の採光部材が「○」と判定された。そのため、この３種類の採光部材のいずれかを実施例１の建造物の開口部に配置することによって、太陽光等の光を、部屋の奥側の天井及び壁面に採り入れることができ、室内空間全体の明るさを向上させるとともに均一にすることができる。
【００４５】
また、実施例２の建造物の部屋に対しては、採光部材Ａ、採光部材Ｂ、採光部材Ｄ、採光部材Ｆ、採光部材Ｈの５種類の採光部材の角度φ及び角度θが、それぞれ表３に示す７．１度≦φ≦６８．２度、７．８度≦θ≦２４．２度を満たしているので、この５種類の採光部材が「○」と判定された。そのため、この５種類の採光部材のいずれかを実施例２の建造物の開口部に配置することによって、太陽光等の光を、部屋の奥側の天井及び壁面に採り入れることができ、室内空間全体の明るさを向上させるとともに均一にすることができる。
【００４６】
また、実施例３の建造物の部屋に対しては、採光部材Ｈの角度φ及び角度θが、表３に示す１．４度≦φ≦２６．６度、−２．１度≦θ≦８．５度を満たしているので、この採光部材Ｈのみが「○」と判定された。この採光部材Ｈを実施例３の建造物の開口部に配置することによって、太陽光等の光を、部屋の奥側の天井及び壁面に取り入れることができ、室内空間全体の明るさを向上させるとともに均一にすることができる。
【００４７】
以上より、本実施形態の建造物１は、開口部に配置された採光部材の出射特性（角度φ及び角度θ）が、ｔａｎ−１（Ａ／Ｌ）≦φ≦ｔａｎ−１（Ａ／Ｃ）と、ｔａｎ−１（（Ａ＋Ｂ−Ｘ／２）／Ｌ）≦θ≦ｔａｎ−１（（Ａ＋Ｂ）／Ｌ）とを満たしているので、採光部材２０の上端縁から出射する光のほとんどを、天井２ｃの入射目標位置ｐよりも奥側（＋Ｙ側）の領域に入射させることができる。また、採光部材２０の下端縁から出射する光のほとんどを、壁２ａの床２ｂよりＸ／２離れた高さから天井２ｃまでの領域に入射させることができる。これにより、本実施形態の建造物１は、採光部材２０により採り入れた光を、天井２ｃの入射目標位置ｐよりも奥側の領域や、壁２ａの上部に入射させることができ、室内空間全体の明るさを効率よく向上させるとともに均一にすることができる。
また、本実施形態の建造物１は、Ｘ−Ａ−Ｂ＞１．５ｍを満たすことによって、室内に居る人間の眼に、採光部材によって採り入れた光が入射し、眩しくなってしまうのを抑制することができる。
【００４８】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４９】
（変形形態）
（１）上述の実施形態において、採光部材２０は、基材２１の−Ｙ側の面に光偏向層３０が配置される例を示したが、これに限定されるものでない。例えば、採光部材２０は、光偏向層３０が２枚の光透過性を有する基材に挟み込まれる合わせガラスの形態にしてもよい。
【００５０】
（２）上述の実施形態において、光偏向層３０のルーバ部３２は、ＹＺ断面における断面形状が略三角形形状である例で説明したが、楔形形状であればこれに限定されるものでない。ルーバ部３２の上記断面形状は、例えば、台形形状に形成されるようにしてもよい。この場合、ルーバ部３２は、入射面３０ａ側を下辺とし、出射面３０ｂ側を下辺より短い上辺となるように形成される。
【００５１】
（３）上述の実施形態において、採光部材２０は、窓３ｂに貼付される例を示したが、これに限定されるものでない。例えば、採光部材２０は、窓３ｂの代わりに窓枠３ａに固定されるようにしてもよい。また、採光部材２０は、カーテン（ロールカーテン）の形態として、窓３ｂの室内側に配置されるようにしてもよい。
【符号の説明】
【００５２】
１    建造物
２    部屋
２ａ、２ｄ    壁
２ｂ  床
２ｃ  天井
３    開口部
３ａ    窓枠
３ｂ    窓
２０    採光部材
２１    基材
３０    光偏向層
３０ａ    入射面
３０ｂ    出射面
３１    ベース部
３１ａ    溝
３２    ルーバ部
【図１】
2016205040.tif 000007
【図２】
2016205040.tif 000008
【図３】
2016205040.tif 000009
【図４】
2016205040.tif 000010
【図５】
2016205040.tif 000011